【手続補正書】
【提出日】平成30年10月4日(2018.10.4)
【手続補正１】
【補正対象書類名】特許請求の範囲
【補正対象項目名】全文
【補正方法】変更
【補正の内容】
【特許請求の範囲】
【請求項１】
タッチ操作を検出する検出手段と、
タッチ操作とは異なる特定の操作が行われたことに応じて、タッチ操作の受付を制限するタッチ制限モードを設定する設定手段と、
前記タッチ制限モードが設定されていない状態において、表示手段に第１の画面が表示されている場合にタッチ操作が行われたことに応じて機器の設定を変更し、前記表示手段に前記第１の画面と異なる第２の画面が表示されている場合にタッチ操作が行われたことに応じて特定の機能を実行し、
前記タッチ制限モードが設定された状態では、前記表示手段に前記第１の画面が表示されている場合はタッチ操作が行われたことに応じて機器の設定を変更し、前記表示手段に前記第２の画面が表示されている場合はタッチ操作に応じて少なくとも前記特定の機能を実行しないように制御する制御手段と、
を有することを特徴とする電子機器。
【請求項２】
前記特定の操作は、タッチ操作ではない操作を受け付ける操作部材に対する操作であることを特徴とする請求項１に記載の電子機器。
【請求項３】
タッチ操作により前記第２の画面から前記第１の画面に切り替える手段をさらに有し、
前記特定の機能は、前記第２の画面から前記第１の画面に切り替える機能であることを特徴とする請求項１または２に記載の電子機器。
【請求項４】
前記制御手段は、前記特定の機能に関わらず、前記タッチ制限モードが設定されていない状態での前記第２の画面におけるタッチ操作で実行可能な機能は、前記タッチ制限モードが設定された状態ではタッチ操作に応じては実行しないように制御することを特徴とする請求項１乃至３のいずれか１項に記載の電子機器。
【請求項５】
前記第１の画面で無操作の時間が所定時間経過したことに応じて、前記第１の画面から前記第２の画面に自動的に切り替わることを特徴とする請求項１乃至４のいずれか１項に記載の電子機器。
【請求項６】
前記電子機器の起動時は前記第２の画面が表示されることを特徴とする請求項１乃至５のいずれか１項に記載の電子機器。
【請求項７】
前記電子機器が撮像装置である場合、前記機器の設定は、撮影動作や撮影条件に関する設定項目、記録画質や撮影枚数に関する設定項目の少なくともいずれかを含み、
前記特定の機能は、露出変更、ＩＳＯ感度変更、ライブビュー画像の拡大、タッチシャッター機能の設定、およびＡＦエリアの変更のうち少なくともいずれかを含むことを特徴とする請求項１乃至６のいずれか１項に記載の電子機器。
【請求項８】
前記電子機器が撮像装置である場合、前記第２の画面は、撮影待機時の画面であることを特徴とする請求項７に記載の電子機器。
【請求項９】
前記電子機器が撮像装置である場合、前記第２の画面以外の画面を表示した状態でのシャッターボタンの操作に応じて前記第２の画面に切り替えることを特徴とする請求項７または８に記載の電子機器。
【請求項１０】
前記タッチ制限モードとは異なる、前記電子機器に対するタッチ操作を有効または無効に設定する第２の設定手段をさらに有することを特徴とする請求項１乃至９のいずれか１項に記載の電子機器。
【請求項１１】
前記制御手段は、前記タッチ制限モードが設定された状態で、前記第２の画面が表示されている場合は、タッチ操作が検出されてもオートパワーオフ機能を延長しないように制御することを特徴とする請求項１乃至１０のいずれか１項に記載の電子機器。
【請求項１２】
前記表示手段は、電子機器の外形内に折り畳まれた状態の閉位置と電子機器の外形の外側に位置する開位置との間で位置が可変であり、前記表示手段の位置を検出する第２の検出手段を有し、
前記制御手段は、前記タッチ制限モードが設定された状態で、前記第２の画面が表示されている場合に、前記表示手段の位置が閉位置にあることが検出された場合には、タッチ操作を無効にし、
前記第２の画面が表示されている場合でも、前記表示手段の位置が開位置にあることが検出された場合には、タッチ操作を有効にすることを特徴とする請求項１乃至１１のいずれか１項に記載の電子機器。
【請求項１３】
前記電子機器を吊るすためのストラップを取り付け可能なストラップ取り付け部をさらに有することを特徴とする請求項１乃至１２のいずれか１項に記載の電子機器。
【請求項１４】
前記制御手段は、前記タッチ制限モードが設定された状態で、前記第２の画面が表示されている場合のタッチ操作に応じて、タッチが制限されている状態であることを示す表示を行うように制御することを特徴とする請求項１乃至１３のいずれか１項に記載の電子機器。
【請求項１５】
前記制御手段は、前記タッチ制限モードが設定された状態で、前記第２の画面が表示されており、かつオートパワーオフ機能が実行されるまでの残り時間が所定時間以内である場合にタッチ操作が行われたことに応じて、オートパワーオフを実行するまでの時間を所定期間延長し、当該延長が行われた後にタッチ操作が行われても更なる延長は行わないように制御することを特徴とする請求項１３に記載の電子機器。
【請求項１６】
前記タッチ操作は前記表示手段の表示面に対する操作であることを特徴とする請求項１乃至１５のいずれか１項に記載の電子機器。
【請求項１７】
タッチ操作を検出する検出手段と、
タッチ操作とは異なる特定の操作が行われたことに応じて、タッチ操作の受付を制限するタッチ制限モードを設定する設定手段と、
を有する電子機器の制御方法であって、
前記タッチ制限モードが設定されていない状態において、表示手段に第１の画面が表示されている場合にタッチ操作が行われたことに応じて機器の設定を変更し、前記表示手段に前記第１の画面と異なる第２の画面が表示されている場合にタッチ操作が行われたことに応じて特定の機能を実行し、
前記タッチ制限モードが設定された状態では、前記表示手段に前記第１の画面が表示されている場合はタッチ操作が行われたことに応じて機器の設定を変更し、前記表示手段に前記第２の画面が表示されている場合はタッチ操作に応じて少なくとも前記特定の機能を実行しないように制御する制御工程を有することを特徴とする電子機器の制御方法。
【請求項１８】
コンピュータを、請求項１乃至１６のいずれか１項に記載された電子機器の各手段として機能させるためのプログラム。
【請求項１９】
コンピュータを、請求項１乃至１６のいずれか１項に記載された電子機器の各手段として機能させるためのプログラムを格納したコンピュータが読み取り可能な記憶媒体。
【手続補正２】
【補正対象書類名】明細書
【補正対象項目名】０００６
【補正方法】変更
【補正の内容】
【０００６】
上記課題を解決し、目的を達成するために、本発明の電子機器は、タッチ操作を検出する検出手段と、タッチ操作とは異なる特定の操作が行われたことに応じて、タッチ操作の受付を制限するタッチ制限モードを設定する設定手段と、前記タッチ制限モードが設定されていない状態において、表示手段に第１の画面が表示されている場合にタッチ操作が行われたことに応じて機器の設定を変更し、前記表示手段に前記第１の画面と異なる第２の画面が表示されている場合にタッチ操作が行われたことに応じて特定の機能を実行し、前記タッチ制限モードが設定された状態では、前記表示手段に前記第１の画面が表示されている場合はタッチ操作が行われたことに応じて機器の設定を変更し、前記表示手段に前記第２の画面が表示されている場合はタッチ操作に応じて少なくとも前記特定の機能を実行しないように制御する制御手段と、を有する。